(57)【要約】【課題】表示品の低下を抑制することが可能な表示装置を提供することにある。【解決手段】実施形態に係る表示装置は、光が入射される第１入射面と第１入射面から入射された光を出射する第１出射面とを有する第１導光板と、第１入射面から第１導光板に光を照射する第１光源と、第１出射面上に配置され、光が入射される第２入射面と第２入射面から入射された光を出射する第２出射面とを有する第２導光板と、第２入射面から第２導光板に光を照射する第２光源と、第２出射面上に並べて配置される第１及び第２表示パネルとを具備する。第１及び第２光源は、第１及び第２導光板を挟んで対向して配置される。第１表示パネルは、第１光源よりも第２光源の近傍に配置される。第２表示パネルは、第２光源よりも第１光源の近傍に配置される。【選択図】図５
2022001913.tif 000002
【特許請求の範囲】
【請求項１】
光が入射される第１入射面と、前記第１入射面から入射された光を出射する第１出射面とを有する第１導光板と、
前記第１入射面から前記第１導光板に光を照射する第１光源と、
前記第１出射面上に配置され、光が入射される第２入射面と、前記第２入射面から入射された光を出射する第２出射面とを有する第２導光板と、
前記第２入射面から前記第２導光板に光を照射する第２光源と、
前記第２出射面上に並べて配置される第１及び第２表示パネルと
を具備し、
前記第１及び第２光源は、平面視において前記第１及び第２導光板を挟んで対向して配置され、
前記第１表示パネルは、平面視において前記第１光源よりも前記第２光源の近傍に配置され、
前記第２表示パネルは、平面視において前記第２光源よりも前記第１光源の近傍に配置される
表示装置。
【請求項２】
前記第１導光板は、前記第１光源によって照射された光を前記第１出射面から前記第１表示パネルに出射し、
前記第２導光板は、前記第２光源によって照射された光を前記第２出射面から前記第２表示パネルに出射する
請求項１記載の表示装置。
【請求項３】
前記第１導光板は、前記第１出射面の反対側の第１背面を更に有し、
前記第１背面は、前記第１光源によって照射された光を前記第１出射面から前記第１表示パネルに向けて出射させる第１プリズムを、平面視において前記第１表示パネルと重畳する領域に有し、
前記第２導光板は、前記第２出射面の反対側の第２背面を更に有し、
前記第２背面は、前記第２光源によって照射された光を前記第２出射面から前記第２表示パネルに向けて出射させる第２プリズムを、平面視において前記第２表示パネルと重畳する領域に有する
請求項２記載の表示装置。
【請求項４】
前記第１導光板は、平面視において前記第２表示パネルと重畳する領域で前記第１光源によって照射された光を反射し、
前記第２導光板は、平面視において前記第１表示パネルと重畳する領域で前記第２光源によって照射された光を反射する
請求項３記載の表示装置。
【請求項５】
遮光部材を更に具備し、
前記第１及び第２表示パネルは、間隙を挟んで配置されており、
前記第１及び第２プリズムの各々の一部は、平面視において前記間隙と重畳する領域に形成されており、
前記遮光部材は、平面視において前記間隙と重畳する前記第２導光板の第２出射面上に形成されている
請求項４記載の表示装置。
【請求項６】
前記第１導光板が有する前記第１出射面の反対側の第１背面に対向する反射部材を更に具備する請求項１〜５のいずれか一項に記載の表示装置。
【請求項７】
前記第１及び第２光源は、レーザー光を発するレーザー光源である請求項１〜６のいずれか一項に記載の表示装置。
【請求項８】
ユーザの頭部に装着して使用されるヘッドマウントディスプレイを含む請求項１〜７のいずれか一項に記載の表示装置。
【発明の詳細な説明】
【技術分野】
【０００１】
本発明の実施形態は、表示装置に関する。
【背景技術】
【０００２】
近年では、ユーザの頭部に装着されるヘッドマウントディスプレイ（ＨＭＤ：Head Mount Display）と称される表示装置を用いて例えば仮想現実（ＶＲ：Virtual Reality）を提供する技術が注目されている。
【０００３】
このようなＶＲ向けの表示装置（以下、ヘッドマウントディスプレイと表記）は、当該ヘッドマウントディスプレイがユーザの頭部に装着された際に当該ユーザの眼前となる位置に設けられた表示パネル（液晶表示パネル）に画像が表示されるように構成されている。これにより、ヘッドマウントディスプレイを装着したユーザは、臨場感のある仮想現実空間を体験することができる。
【０００４】
ところで、上記したヘッドマウントディスプレイに設けられている表示パネルの背面には当該表示パネルを照明するバックライト（ユニット）等の照明装置が更に設けられており、当該照明装置は、導光板と、当該導光板の側面（入射面）に配置される光源とを備える。このような照明装置において光源によって照射された光は、側面から導光板に入射され、当該導光板内を伝播し、当該導光板の一方の主面（出射面）から出射される。
【０００５】
ここで、光源としては例えばレーザー光源等が用いられるが、当該光源によって照射される光は一定の指向性を有する。このため、導光板の出射面の端部（光源に近い領域）においては所望の輝度を得る（十分な輝度の光を供給する）ことができず、目玉（ムラ）と称される輝度ムラが生じる。このような輝度ムラは表示パネルにおける表示品位（画質）を低下させる原因となる。
【先行技術文献】
【特許文献】
【０００６】
【特許文献１】特開２０１８−０６７３７６号公報
【発明の概要】
【発明が解決しようとする課題】
【０００７】
そこで、本発明が解決しようとする課題は、表示品位の低下を抑制することが可能な表示装置を提供することにある。
【課題を解決するための手段】
【０００８】
実施形態に係る表示装置は、光が入射される第１入射面と、前記第１入射面から入射された光を出射する第１出射面とを有する第１導光板と、前記第１入射面から前記第１導光板に光を照射する第１光源と、前記第１出射面上に配置され、光が入射される第２入射面と、前記第２入射面から入射された光を出射する第２出射面とを有する第２導光板と、前記第２入射面から前記第２導光板に光を照射する第２光源と、前記第２出射面上に並べて配置される第１及び第２表示パネルとを具備する。前記第１及び第２光源は、平面視において前記第１及び第２導光板を挟んで対向して配置される。前記第１表示パネルは、平面視において前記第１光源よりも前記第２光源の近傍に配置される。前記第２表示パネルは、平面視において前記第２光源よりも前記第１光源の近傍に配置される。
【図面の簡単な説明】
【０００９】
【図１】実施形態に係る表示装置の外観の一例を示す斜視図。
【図２】表示パネルの概略的な構成を示す斜視図。
【図３】表示パネルの概略的な断面図。
【図４】本実施形態の比較例について説明するための図。
【図５】本実施形態に係る表示装置が備える照明装置について説明するための図。
【図６】本実施形態に係る表示装置の概略的な平面図。
【発明を実施するための形態】
【００１０】
以下、図面を参照して、実施形態について説明する。  
なお、開示はあくまで一例に過ぎず、当業者において、発明の主旨を保っての適宜変更について容易に想到し得るものについては、当然に本発明の範囲に含有される。また、図面は、説明をより明確にするため、実際の態様に比べて模式的に表される場合があるが、あくまで一例であって、本発明の解釈を限定するものではない。各図において、連続して配置される同一または類似の要素については符号を省略することがある。また、本明細書と各図において、既出の図に関して前述したものと同一または類似した機能を発揮する構成要素には同一の参照符号を付し、重複する詳細な説明を省略することがある。
【００１１】
図１は、本実施形態に係る表示装置の外観の一例を示す斜視図である。本実施形態において、表示装置は、ユーザの頭部に装着されて使用されるヘッドマウントディスプレイ（ＨＭＤ）を含む。このような表示装置は、当該表示装置を頭部に装着したユーザに対して、例えば仮想現実（ＶＲ）を提供するために用いられる。
【００１２】
図１に示すように、表示装置ＨＭＤは、表示パネル１１（第１表示パネル）及び表示パネル１２（第２表示パネル）を備える。
【００１３】
表示パネル１１及び１２は、ユーザが表示装置ＨＭＤを頭部に装着した状態で当該ユーザの左眼及び右眼の眼前に位置するようにそれぞれ配置されている。本実施形態において、表示パネル１１及び１２は、液晶層を有する液晶表示パネルであるものとする。
【００１４】
図２は、本実施形態に係る表示装置ＨＭＤに備えられる表示パネルの概略的な構成を示す斜視図である。ここでは、表示パネル１１の構成について主に説明する。
【００１５】
図２に示す表示パネル１１は、第１基板ＳＵＢ１と、第１基板ＳＵＢ１に対向する第２基板ＳＵＢ２とを備える。また、表示パネル１１は、画像を表示する表示領域ＤＡを有する。更に、表示パネル１１は、例えば表示領域ＤＡにおいてマトリクス状に配列された複数の画素ＰＸを備える。
【００１６】
また、表示パネル１１は、当該表示パネル１１を駆動する駆動ＩＣチップ１１１と、表示パネル１１へ制御信号を伝達するフレキシブル回路基板ＦＰＣ１及びＦＰＣ２とを備える。フレキシブル回路基板ＦＰＣ１及びＦＰＣ２は、表示装置ＨＭＤの動作を制御する制御モジュール（ホストコンピュータ）に接続されている。
【００１７】
なお、本実施形態においては、図２に示すように第１方向Ｘ、第２方向Ｙ及び第３方向Ｚを定義するものとする。各方向Ｘ、Ｙ及びＺは、例えば互いに直交する。本実施形態においては、表示パネル１１（表示装置ＨＭＤ）を第３方向Ｚと平行な方向から見ることを平面視と呼ぶ。図２に示す例において、各基板ＳＵＢ１及びＳＵＢ２は、第１方向Ｘに沿う長辺と、第２方向Ｙに沿う短辺とを有しており、平面視における形状が長方形である。なお、各基板ＳＵＢ１及びＳＵＢ２の形状は図２に示す例と異なっていてもよく、例えば各基板ＳＵＢ１及びＳＵＢ２の平面視における形状は正方形や円形等であってもよい。
【００１８】
図３は、Ｘ−Ｚ平面と平行な表示パネル１１の概略的な断面図である。表示パネル１１は、上記した各基板ＳＵＢ１及びＳＵＢ２に加えて、シール材ＳＬ及び液晶層ＬＣを更に備える。表示パネル１１において、各基板ＳＵＢ１及びＳＵＢ２はシール材ＳＬにより貼り合わされており、液晶層ＬＣはシール材ＳＬと各基板ＳＵＢ１及びＳＵＢ２との間に封入されている。
【００１９】
なお、表示装置ＨＭＤにおいて、第１基板ＳＵＢ１の下面（第２基板ＳＵＢ２と対向しない面）には、第１偏光板ＰＬ１が貼付されている。第２基板ＳＵＢ２の上面（第１基板ＳＵＢ１と対向しない面）には、第２偏光板ＰＬ２が貼付されている。各偏光板ＰＬ１及びＰＬ２の偏光軸は、互いに直交する。
【００２０】
ここで、詳細については後述するが、表示装置ＨＭＤは、表示パネル１１の背面側（つまり、表示面の反対側）に照明装置（バックライトユニット）を備える。なお、照明装置は、上記した制御モジュールに接続される。表示装置ＨＭＤにおいては、上記した照明装置によって表示パネル１１が照明されることによって、当該表示パネル１１に各種画像を表示することができる。
【００２１】
表示装置ＨＭＤは、表示パネル１１と照明装置との間に、プリズムシートＰＳを備えている。また、表示装置ＨＭＤは、プリズムシートＰＳと表示パネル１１との間に、拡散シートＤＳ（拡散層）を備えている。プリズムシートＰＳは、例えば第２方向Ｙと平行に延びる多数のプリズムを備えている。これらのプリズムは、例えばプリズムシートＰＳの下面（照明装置と対向する面）に形成されている。ただし、これらのプリズムは、プリズムシートＰＳの上面（表示パネル１１と対向する面）に形成されていてもよい。
【００２２】
プリズムシートＰＳは、照明装置によって照明される光を第３方向Ｚに実質的に平行な光に変換する。ここで、「第３方向Ｚに実質的に平行な光」は、第３方向Ｚと厳密に平行な光のみならず、第３方向Ｚに対する傾きが、照明装置によって照明された際に比べてプリズムシートＰＳにより十分に小さく変換された光を含む。なお、照明装置によって照明される光の偏光を維持する観点から、プリズムシートＰＳのプリズムは下面に形成されていることが好ましい。プリズムシートＰＳを経た光は、拡散シートＤＳで拡散されて、表示パネル１１に照明される。プリズムシートＰＳを通過した光の視野角が狭い場合であっても、この光を拡散シートＤＳで拡散することにより、視野角を広げることができる。
【００２３】
なお、図２及び図３においては表示パネル１１について説明したが、表示パネル１２についても図２及び図３において説明した構成と同様の構成を有する。
【００２４】
次に、本実施形態に係る表示装置ＨＭＤが備える照明装置について説明するが、まず、図４を参照して、本実施形態の比較例に係る照明装置（一般的な照明装置）について説明する。
【００２５】
図４に示すように、本実施形態の比較例に係る照明装置２０´は、導光板２１´を備える。導光板２１´は、光が入射される入射面（側面）２１ａ´及び当該入射面２１ａ´から入射された光を出射する出射面（主面）２１ｂ´を有する。
【００２６】
また、照明装置２０´においては、光源２１１´が導光板２１´の入射面２１ａ´に対向する位置に配置される。光源２１１´は光を照射するように構成されており、当該光源２１１´としては例えば照射方向を中心とした広がりを有する拡散光を照射するレーザー光源（レーザーダイオード）等を用いることができる。
【００２７】
このような照明装置２０´においては、入射面２１ａ´を介して光源２１１´から導光板２１´に照射された光が出射面２１ｂから出射されることによって表示パネルを照明することができる。
【００２８】
しかしながら、上記したレーザー光源のような光源２１１´（によって照射される光）は指向性を有するため、当該光源２１１´が配置されている入射面２１ａ´の近傍（つまり、出射面２１ｂ´の端部）においては十分な光が出射されない。
【００２９】
すなわち、本実施形態の比較例に係る照明装置２０´においては、入射面２１ａ´の近傍で部分的に輝度が低下し、図４に示すような輝度ムラが生じる。この輝度ムラは、表示装置における表示品位を低下させる要因となる。
【００３０】
このため、本実施形態に係る表示装置ＨＭＤ及び照明装置は、図４に示すような輝度ムラを解消するための構成を有する。
【００３１】
以下、図５を参照して、本実施形態に係る表示装置ＨＭＤが備える照明装置の構成について説明する。図５に示すように、照明装置２０は、第１導光板２１及び第２導光板２２を備える。
【００３２】
第１導光板２１は、光が入射される側面に相当する入射面（第１入射面）２１ａと、当該入射面２１ａから入射された光を出射する主面に相当する出射面（第１出射面）２１ｂとを有する。
【００３３】
また、照明装置２０は、第１導光板２１の入射面２１ａと対向する位置に、当該入射面２１ａから第１導光板２１に光を照射する光源（第１光源）２１１を備える。
【００３４】
第２導光板２２は、第１導光板２１の出射面２１ｂ上に配置され、光が入射される側面に相当する入射面（第２入射面）２２ａと、当該入射面２２ａから入射された光を出射する主面に相当する出射面（第２出射面）２２ｂとを有する。
【００３５】
また、照明装置２０は、第２導光板２２の入射面２２ａと対向する位置に、当該入射面２２ａから第２導光板２２に光を照射する光源（第２光源）２２１を備える。
【００３６】
本実施形態において、光源２１１及び２２１（入射面２１ａ及び２２ａ）は、平面視において第１導光板２１及び第２導光板２２を挟んで対向して配置される。また、光源２１１及び２２１は、上記したレーザー光源を含む。
【００３７】
なお、図５においては示されていないが、光源２１１と入射面２１ａとの間または光源２２１と入射面２２ａとの間にレンズ等の光学素子を更に配置し、各光源２１１及び２２１から照射される光の幅または角度が調整される構成としてもよい。
【００３８】
表示パネル１１及び１２は、上記したプリズムシートＰＳ及び拡散シート（拡散板）ＤＳを介して、第２導光板２２の出射面２２ｂ上に並べて配置される。なお、図５においては、表示パネル１１と照明装置２０との間に配置されるプリズムシートＰＳ及び拡散シートＤＳをプリズムシートＰＳ１及び拡散シートＤＳ１、表示パネル１２と照明装置２０との間に配置されるプリズムシートＰＳ及び拡散シートＤＳをプリズムシートＰＳ２及び拡散シートＤＳ２として示している。
【００３９】
ここで、本実施形態において、表示パネル１１は、光源２１１よりも光源２２１の近傍（つまり、光源２２１側）に配置される。一方、表示パネル１２は、光源２２１よりも光源２１１の近傍（つまり、光源２１１側）に配置される。
【００４０】
また、図５においては簡易的に示されているが、第１導光板２１の出射面２１ｂの反対側の主面に相当する背面（第１背面）２１ｃは、光源２１１によって照射された光を出射面２１ｂから表示パネル１１に向けて出射させるプリズム（第１プリズム）Ｐ１を有する。具体的には、プリズムＰ１は、少なくとも平面視において表示パネル１１と重畳する領域Ｒ１に複数形成されており、それぞれ第２方向Ｙに延在している。なお、図５に示す例では、プリズムＰ１が形成されている領域Ｒ１の第１方向Ｘの長さが、当該プリズムＰ１が形成されていない領域の第１方向Ｘの長さ（つまり、第１導光板２１の第１方向Ｘの長さ−領域Ｒ１の第１方向Ｘの長さ）よりも長くなるように、プリズムＰ１が形成されている。
【００４１】
ここでは、領域Ｒ１にプリズムＰ１が形成されているものとして説明したが、当該プリズムＰ１が形成されていない領域Ｒ１以外の領域（つまり、平面視において表示パネル１２と重畳する領域）において、第１導光板２１は、光源２１１が照射した光を反射（全反射）し、当該光が当該第１導光板２１内を伝播するように構成されている。
【００４２】
同様に、第２導光板２２の出射面２２ｂの反対側の主面に相当する背面（第２背面）２２ｃは、光源２２１によって照射された光を出射面２２ｂから表示パネル１２に向けて出射させるプリズム（第２プリズム）Ｐ２を有する。具体的には、プリズムＰ２は、少なくとも平面視において表示パネル１２と重畳する領域Ｒ２に複数形成されており、それぞれ第２方向Ｙに延在している。なお、図５に示す例では、プリズムＰ２が形成されている領域Ｒ２の第１方向Ｘの長さが、当該プリズムＰ２が形成されていない領域の第１方向Ｘの長さ（つまり、第２導光板２２の第１方向Ｘの長さ−領域Ｒ２の第１方向Ｘの長さ）よりも長くなるように、プリズムＰ２が形成されている。
【００４３】
ここでは、領域Ｒ２にプリズムＰ２が形成されているものとして説明したが、当該プリズムＰ２が形成されていない領域Ｒ２以外の領域（つまり、平面視において表示パネル１１と重畳する領域）において、第２導光板２２は、光源２２１が照射した光を反射（全反射）し、当該光が当該第２導光板２２内を伝播するように構成されている。
【００４４】
なお、プリズムＰ１及びＰ２の断面形状は、例えば第２方向Ｙにおいて一様であるが、異なっていてもよい。また、プリズムＰ１及びＰ２は、例えば同一の形状であるが、互いに異なる形状であってもよい。更に、プリズムＰ１及びＰ２はそれぞれ複数設けられているが、当該プリズムＰ１及びＰ２は、それぞれ同一の密度で設けられていてもよいし、異なる密度で設けられていてもよい。また、プリズムＰ１は第１導光板２１の出射面２１ｂ側に形成されていてもよいし、プリズムＰ２は第２導光板２２の出射面２２ｂ側に形成されていてもよい。
【００４５】
更に、照明装置２０は、反射部材（反射板）２３を備えている。反射部材２３は、例えば金属材料で構成されたシート材であり、第１導光板２１の背面２１ｃに対向している。反射部材２３は、第１導光板２１の背面２１ｃから漏れた光を第１導光板２１に向けて反射する。
【００４６】
なお、本実施形態において表示パネル１１及び１２は、表示装置（ヘッドマウントディスプレイ）ＨＭＤを頭部に装着したユーザの眼前に位置するように、間隙３００を挟んで配置されている。この場合、平面視において間隙３００と重畳する第２導光板２２の出射面２１ｂ上には遮光部材２４が形成されている。遮光部材２４は、例えば光反射性を有する材料によって形成されていているが、他の材料によって形成されていてもよい。
【００４７】
ここで、図６は、本実施形態に係る表示装置ＨＭＤの概略的な平面図である。図６に示す例では、第１導光板２１の入射面２１ａに沿って５つの光源２１１が並んで配置されており、第２導光板２２の入射面２２ａに沿って５つの光源２２１が並んで配置されている。
【００４８】
また、図６に示すように、表示パネル１１及び１２は間隙３００を形成するように配置されるが、遮光部材２４は、当該間隙３００によって露出される第２導光板２２（の出射面２２ｂ）を覆うように形成されている。
【００４９】
再び図５に戻って、本実施形態に係る表示装置ＨＭＤ（照明装置２０）の動作について説明する。
【００５０】
本実施形態に係る表示装置ＨＭＤにおいて表示パネル１１に画像を表示する場合、光源２１１によって照射される光４０１は、入射面２１ａから第１導光板２１内に進入し、各主面（出射面２１ｂ及び背面２１ｃ）を反射しながら第１導光板２１を伝播する。
【００５１】
このように第１導光板２１を伝播した光４０１は、当該第１導光板２１の背面２１ｃに形成されている複数のプリズムＰ１にて反射して出射面２１ｂから出射される。このように出射面２１ｂから出射された光によって表示パネル１１が照明され、当該表示パネル１１に画像が表示される。
【００５２】
なお、第１導光板２１の背面２１ｃから漏れる光は、当該背面２１ｃに対向する反射部材２３から第１導光板２１に向けて反射される。
【００５３】
また、表示パネル１２に画像を表示する場合、光源２２１が照射する光４０２は、入射面２２ａから第２導光板２２内に進入し、各主面（出射面２２ｂ及び背面２２ｃ）を反射しながら第２導光板２２を伝播する。
【００５４】
このように第２導光板２２を伝播した光４０２は、当該第２導光板２２の背面２２ｃに形成されている複数のプリズムＰ２にて反射して出射面２２ｂから出射される。このように出射面２２ｂから出射された光によって表示パネル１２が照明され、当該表示パネル１２に画像が表示される。
【００５５】
ここで、図５に示す例では、第１導光板２１を伝播する光４０１が効率的に表示パネル１１を照明するように、表示パネル１１及び１２の配置によって形成されている間隙３００と平面視において重畳する領域にもプリズムＰ１が形成されている。
【００５６】
同様に、第２導光板２２を伝播する光４０２が効率的に表示パネル１２を照明するように、表示パネル１１及び１２の配置によって形成されている間隙３００と平面視において重畳する領域にもプリズムＰ２が形成されている。
【００５７】
このようなプリズムＰ１及びＰ２によれば、間隙３００と重畳する第２導光板２２の出射面２２ｂからも光４０１及び４０２が出射される場合があるが、本実施形態においては、当該間隙３００と重畳する第２導光板２２の出射面２２ｂ上に遮光部材２４が形成されている。この遮光部材２４によれば、間隙３００（と重畳する第２導光板２２の出射面２２ｂ）において光が出射されることを防止することができる。
【００５８】
なお、本実施形態においては、便宜的に、第１導光板２１及び第２導光板２２の断面形状が長方形であるものとして説明したが、当該第１導光板２１及び第２導光板２２の断面形状は他の形状であってもよい。
【００５９】
上記したように本実施形態に係る表示装置ＨＭＤは、入射面２１ａ（第１入射面）及び出射面２１ｂ（第１出射面）を有する第１導光板２１と、当該入射面２１ａから第１導光板２１に光を照射する光源２１１（第１光源）と、第１導光板２１の出射面２１ｂ上に配置され、入射面２２ａ（第２入射面）及び出射面２２ｂ（第２出射面）を有する第２導光板２２と、入射面２２ａから第２導光板２２に光を照射する光源２２１（第２光源）と、第２導光板２２の出射面２２ｂ上に並べて配置される表示パネル１１及び１２（第１及び第２表示パネル）とを備える。また、本実施形態において、光源２１１及び２２１は、平面視において第１導光板２１及び第２導光板２２を挟んで対向して配置される。更に、表示パネル１１は平面視において光源２１１よりも光源２２１の近傍に配置され、表示パネル１２は平面視において光源２２１よりも光源２２１の近傍に配置される。
【００６０】
本実施形態においては、上記した構成により、例えば光源２１１が配置されている入射面２１ａの近傍においては光源２２１が照射する光が出射され、光源２２１が配置されている入射面２２ａの近傍においては光源２１１が照射する光が出射される。このため、本実施形態においては、照明装置２０から表示パネル１１及び１２に対して照明される光において上記した図４において説明した輝度ムラは生じない。よって、本実施形態においては、表示パネル１１及び１２における表示品位の低下を抑制することが可能となる。
【００６１】
なお、上記した図４において説明した本実施形態の比較例に係る照明装置２０´において輝度ムラを解消するためには、例えば光源２１１´によって照射された後に十分に拡散した状態の光を出射面２１ｂ´の端部（当該光源２１１´側の端部）から出射しなければならないため、平面視における光源２１１´と当該出射面２１ｂの端部との間に、当該光源２１１´によって照射された光を十分に拡散させるための距離を確保する必要がある。これに対して、本実施形態においては、光源２１１及び２２１と出射面２１ｂの各端部との間に、当該光源２１１及び２２１によって照射された光を拡散させるための距離を確保する必要がないため、表示装置ＨＭＤの小型化（狭額縁化）を実現することができる。
【００６２】
また、本実施形態において、第１導光板２１は光源２１１によって照射された光を第１導光板２１の出射面２１ｂから表示パネル１１に出射するようにされ、第２導光板２２は光源２２１によって照射された光を第２導光板２２の出射面２２ｂから表示パネル１２に出射するように構成される。具体的には、第１導光板２１の出射面２１ｂの反対側の主面に相当する背面２１ｃ（第１背面）は、光源２１１によって照射された光を出射面２１ｂから表示パネル１１に向けて出射させるプリズムＰ１（第１プリズム）を、平面視において表示パネル１１と重畳する領域に有する。また、第２導光板２２の出射面２２ｂの反対側の主面に相当する背面２２ｃ（第２背面）は、光源２２１によって照射された光を出射面２２ｂから表示パネル１２に向けて出射させるプリズムＰ２（第２プリズム）を、平面視において表示パネル１２と重畳する領域に有する。
【００６３】
本実施形態においては、このような構成により、光源２１１によって照射される光を用いて表示パネル１１を効率的に照明し、光源２２１によって照射される光を用いて表示パネル１２を効率的に照明することが可能となる。
【００６４】
なお、本実施形態においては第１導光板２１及び第２導光板２２を備える構成であるが、例えば単一の導光板の互いに向かい合う両側面（以下、第１及び第２側面と表記）にそれぞれ対向する光源を配置し、当該両側面から光を照射（入射）する構成を想定する。ここで、第１側面に対向する光源を第１光源、第２側面に対向する光源を第２光源とすると、この構成においても本実施形態と同様に、第１側面の近傍においては第２光源から照射された光が出射され、第２側面の近傍においては第１光源から照射された光が出射される。
【００６５】
しかしながら、第１光源によって照射された光は第１側面（第１光源）の近傍においても出射されるため、第１側面の近傍においては図４にて説明した輝度ムラが生じる。同様に、第２光源によって照射された光は第２側面（第２光源）の近傍においても出射されるため、第２側面の近傍においては図４にて説明した輝度ムラが生じる。
【００６６】
これに対して、本実施形態においては、第１導光板２１は平面視において表示パネル１２と重畳する領域で光源２１１によって照射された光を反射するように構成されているため、入射面２１ａの近傍において輝度ムラは生じない。同様に、本実施形態においては、第２導光板２２は平面視において表示パネル１１と重畳する領域で光源２２１によって照射された光を反射するように構成されているため、入射面２２ａの近傍において輝度ムラは生じない。
【００６７】
更に、本実施形態において、表示パネル１１及び１２は間隙３００を挟んで配置されており、プリズムＰ１及びＰ２の一部は平面視において当該間隙３００と重畳する領域に形成されている。この場合、平面視において間隙３００と重畳する第２導光板２２の出射面２２ｂ上には遮光部材２４が形成される。このような構成によれば、光源２１１及び２２１によって照射される光が間隙３００（に対応する出射面２２ｂ）から出射されることを防止することができ、表示パネル１１及び１２における画像の表示に寄与しない光の出射（つまり、光の損失）を抑制することができる。
【００６８】
また、本実施形態においては、第１導光板２１の出射面２１ｂの反対側の主面に相当する背面２１ｃに対向する反射部材２３を更に備える構成により、当該背面２１ｃからの光の損失を抑制することが可能となる。
【００６９】
なお、上記した図５に示す例では、第２導光板２２は、第１導光板２１を第３方向Ｚを軸として反転させた構成である。このような場合には、第３方向Ｚを軸として反転させた第１導光板２１を第２導光板２２として利用することができる。これによれば、同一の構成の導光板を第１導光板２１及び第２導光板２２として利用することができるため、表示装置ＨＭＤ（照明装置２０）の製造コストを抑制することが可能となる。なお、第１導光板２１と第２導光板２２とは異なる構成を有する導光板であってもよい。
【００７０】
また、本実施形態においては光源２１１及び２２１としてレーザー光を発するレーザー光源が用いられるものとして説明したが、当該光源２１１及び２２１としてはＬＥＤ（Light Emitting Diode）等の他の発光素子が用いられてもよい。
【００７１】
また、上記した本実施形態の構成は例えばヘッドマウントディスプレイのような２つの表示パネル１１及び１２を備える表示装置ＨＭＤに適用する場合を想定しているが、ヘッドマウントディスプレイ以外の表示装置に適用されても構わない。
【００７２】
また、本実施形態においては、表示パネル１１及び１２が透過型の液晶表示パネルであり、照明装置２０が当該液晶表示パネルのバックライトであるものとして説明したが、本実施形態は、他種の表示装置（表示パネルまたは照明装置）に対する適用を妨げるものではない。具体的には、本実施形態は、例えば外光を反射して当該反射光を表示に利用する反射型の機能を備えた液晶表示パネル及び当該液晶表示パネルの前面に配置されるフロントライトを備える表示装置等に適用されてもよい。
【００７３】
以上、本発明の実施形態として説明した表示装置を基にして、当業者が適宜設計変更して実施して実施し得る全ての表示装置も、本発明の要旨を包含する限り、本発明の範囲に属する。
【００７４】
本発明の思想の範疇において、当業者であれば、各種の変形例に想到し得るものであり、それら変形例についても本発明の範囲に属するものと解される。例えば、上述の実施形態に対して、当業者が適宜、構成要素の追加、削除、若しくは設計変更を行ったもの、または、工程の追加、省略若しくは条件変更を行ったものも、本発明の要旨を備えている限り、本発明の範囲に含まれる。
【００７５】
また、上述の実施形態において述べた態様によりもたらされる他の作用効果について、本明細書の記載から明らかなもの、または当業者において適宜想到し得るものについては、当然に本発明によりもたらされるものと解される。
【符号の説明】
【００７６】
ＨＭＤ…表示装置（ヘッドマウントディスプレイ）、１１，１２…表示パネル（第１，第２表示パネル）、２１…第１導光板、２１ａ…入射面（第１入射面）、２１ｂ…出射面（第１出射面）、２１ｃ…背面（第１背面）、２２…第２導光板、２２ａ…入射面（第２入射面）、２２ｂ…出射面（第２出射面）、２２ｃ…背面（第２背面）、２３…反射部材、２１１，２２１…光源（第１，第２光源）、ＤＳ…拡散シート、ＰＳ…プリズムシート、Ｐ１，Ｐ２…プリズム（第１，第２プリズム）。
【図１】
2022001913.tif 000003
【図２】
2022001913.tif 000004
【図３】
2022001913.tif 000005
【図４】
2022001913.tif 000006
【図５】
2022001913.tif 000007
【図６】
2022001913.tif 000008